(57)【要約】      （修正有）【課題】原稿の載置順および読取順を整合する原稿搬送読取装置および画像形成装置を提供する。【解決手段】画像形成装置１において、原稿搬送読取装置１００は、原稿を載置する原稿載置部１１０と、原稿載置部１１０に載置された原稿を給送する原稿給送部１３０と、原稿給送部１３０から給送される原稿を搬送する原稿搬送部１５０と、原稿搬送部により搬送される原稿の表側の画像を読み取る画像読取部１６０と、原稿搬送部１５０により搬送される原稿を排出する原稿排出部１８０と、を備える。原稿搬送部１５０および原稿排出部１８０は、原稿載置部１１０に載置された原稿を反転させることなく原稿排出部１８０から排出する。画像読取部１６０は、搬送される原稿の底面の画像を読み取る位置に配置される。原稿給送部１３０は、原稿載置部１１０に載置された原稿のうち、最下部の原稿を給送する。【選択図】図２
2020022018.tif 000002
【特許請求の範囲】
【請求項１】
原稿を搬送して搬送された原稿の画像を読み取る原稿搬送読取装置であって、
原稿を載置する原稿載置部と、
前記原稿載置部に載置された原稿を給送する原稿給送部と、
前記原稿給送部から給送される原稿を搬送する原稿搬送部と、
前記原稿搬送部により搬送される原稿の表側の画像を読み取る画像読取部と、
前記原稿搬送部により搬送される原稿を排出する原稿排出部と、を備え、
前記原稿搬送部および前記原稿排出部は、前記原稿載置部に載置された原稿を反転させることなく前記原稿排出部から排出し、
前記画像読取部は、搬送される原稿の底面の画像を読み取る位置に配置され、
前記原稿給送部は、前記原稿載置部に載置された原稿のうち、最下部の原稿を給送することを特徴とする原稿搬送読取装置。
【請求項２】
前記原稿給送部は、前記原稿載置部に載置された原稿の底面に当接して回転することにより、前記原稿載置部から原稿を給送する給送ローラを備えたことを特徴とする請求項１記載の原稿搬送読取装置。
【請求項３】
前記原稿搬送部は、複数の搬送ローラ対を備え、前記複数の搬送ローラ対のうち、下側の搬送ローラは駆動されることを特徴とする請求項２記載の原稿搬送読取装置。
【請求項４】
前記原稿給送部は、
前記原稿載置部に載置された最下部の原稿より上方に載置される原稿の先端に当接するように配置されるシャッター部材と、
前記原稿載置部に載置された原稿を上方から押圧する押圧部材と、を備えたことを特徴とする請求項１〜３の何れか記載の原稿搬送読取装置。
【請求項５】
前記原稿載置部は、載置される原稿が給送される方向で下向きに傾斜するように配置されることを特徴とする請求項１〜４の何れか記載の原稿搬送読取装置。
【請求項６】
前記原稿載置部は、格納可能である請求項１〜５の何れか記載の原稿搬送読取装置。
（効果：未使用時は原稿台を収納することができ、マシンを上から見たときの占有地面積を減らせる）
【請求項７】
前記原稿載置部は、原稿を給送する方向と逆方向に延長可能であることを特徴とする請求項１〜６の何れか記載の画像形成装置。
（効果：原稿サイズに合わせて原稿台長さを調整できることで、省スペース性を保ちながら原稿サイズ対応力を向上させることができる）
【請求項８】
請求項１〜７の何れか記載の原稿搬送読取装置を備え、
前記画像読取部が読み取った画像に基づき、シートに画像を形成する画像形成装置。
【請求項９】
シートを搬送するシート搬送部と、
前記シート搬送部により搬送されるシートに画像を形成する画像形成部と、
前記シート搬送部により搬送されるシートを排出するシート排出部と、を備え、
前記シート搬送部および前記シート排出部は、前記画像形成部により画像形成された面が下向きになるように、前記シート排出部からシートを排出することを特徴とする請求項８記載の画像形成装置。
【請求項１０】
前記原稿排出部には、原稿を排出する原稿排出口が備えられ、
前記シート排出部には、シートを排出するシート排出口が備えられており、
少なくとも装置の一側面に開口し、且つ、前記原稿排出口および前記シート排出口が臨む空間であり、前記原稿排出口から排出された原稿および前記シート排出口から排出されたシートを収容する排出収容部を備えたことを特徴とする請求項９記載画像形成装置。
【発明の詳細な説明】
【技術分野】
【０００１】
本発明は、原稿搬送読取装置および画像形成装置に関する。
【背景技術】
【０００２】
従来、原稿を搬送して搬送された原稿の画像を読み取る原稿搬送読取装置が知られている。
【０００３】
特許文献１には、天板の下面部にある原稿搬送路と、画像形成装置側面から原稿搬送路に原稿を搬送することが出来る原稿載置台を備えた画像形成装置が記載されている。
【発明の概要】
【発明が解決しようとする課題】
【０００４】
本発明は、原稿の載置順および読取順を整合する原稿搬送読取装置および画像形成装置を提供することを目的とする。
【課題を解決するための手段】
【０００５】
本発明は、原稿を搬送して搬送された原稿の画像を読み取る原稿搬送読取装置であって、原稿を載置する原稿載置部と、前記原稿載置部に載置された原稿を送り出す原稿給送部と、前記原稿給送部から送り出された原稿を搬送する原稿搬送部と、前記原稿搬送部により搬送される原稿の表側の画像を読み取る画像読取部と、前記原稿搬送部により搬送される原稿を排出する原稿排出口と、を備え、前記原稿搬送部は、前記原稿載置部に載置された原稿を反転させることなく前記原稿排出口から排出し、前記画像読取部は、搬送される原稿の底面の画像を読み取る位置に配置され、前記原稿給送部は、前記原稿載置部に載置された原稿のうち、最下部の原稿を送り出す。
【発明の効果】
【０００６】
本発明によれば、原稿の載置順および読取順を整合する原稿搬送読取装置および画像形成装置を提供できる。
【図面の簡単な説明】
【０００７】
【図１】本発明の一実施形態である画像形成装置１の斜視図である。
【図２】図１に示した画像形成装置１の断面図である。
【図３】図１に示した画像形成装置１の原稿搬送読取装置１００の動作を説明する図である。
【図４】図３に示した原稿搬送読取装置１００の原稿給送部１３０の詳細を示す図である。
【図５】図１に示した画像形成装置１の変形例を示す断面図である。
【発明を実施するための形態】
【０００８】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【０００９】
図１は、本発明の一実施形態である画像形成装置１の斜視図である。図１に示されるＸ軸方向は画像形成装置１の幅方向であり、Ｙ軸方向は画像形成装置１の高さ方向であり、Ｚ軸方向は画像形成装置１の奥行き方向である。
【００１０】
画像形成装置１は、原稿を搬送して搬送された原稿の画像を読み取る原稿搬送読取装置１００と、物品の載置面となる上面を有する天板３００と、天板３００上に載置され、画像形成装置１への操作入力を受け付ける操作部４００と、シートに画像を形成する画像形成部６０と、排出された原稿およびシートを収容する排出収容部２００とを備える。天板３００は、図１に示すように平らな上面を広く設けてあり、例えば天板３００の上面に画像形成した書類を置いてメモを記入したりすることが可能である。
【００１１】
画像形成装置１は、また、画像形成部６０に供給されるシートを載置する内部シート載置部１０と、画像形成部６０に供給されるシートを載置する第２の内部シート載置部１５とを装置内部に備える。
【００１２】
画像形成装置１は、さらに、幅方向（Ｘ方向）右側の側面５００に、画像形成部６０に給送されるシートを載置するシート載置部２０を備え、原稿搬送読取装置１００は、装置内部に供給される原稿を載置する原稿載置部１１０を画像形成装置１の側面５００に備える。シート載置部２０および原稿載置部１１０は、画像形成装置１に対して開放および格納可能であり、図１は格納された状態を示している。天板３００にてメモや署名などを記載した原稿を、そのまま側面５００に設けてある原稿載置部１１０にセットすることで、手軽にメモ入りの原稿を読み取らせることができる。
【００１３】
排出収容部２００には、排出された原稿が載置される原稿載置面（排出原稿載置部）２２０と、排出されたシートが載置されるシート載置面（排出シート載置部）２４０と、排出されたシートが載置される第２のシート載置面（第２の排出シート載置部）２５０とが配置されている。なお、原稿載置面２２０を備えた排出収容部２００は、原稿搬送読取装置１００に含まれるように構成してもよい。
【００１４】
排出収容部２００は、画像形成装置１の高さ方向（Ｙ軸方向）の上側は天板３００に覆われ、画像形成装置１の幅方向（Ｘ軸方向）の右側は側面５００に覆われ、画像形成装置１の奥行き方向（Ｚ軸方向）の後ろ側は後側面５５０に覆われている。これにより、原稿載置面２２０に排出された原稿、およびシート載置面２４０に排出されたシートの機密性が確保できる。
【００１５】
排出収容部２００には、また、画像形成装置１の奥行き方向（Ｚ軸方向）前側の前側面、及び画像形成装置１の幅方向（Ｘ軸方向）の左側の左側面に開口する開口部２１０が形成されており、この開口部２１０を介して、原稿載置面２２０と、シート載置面２４０と、第２のシート載置面２５０が、画像形成装置１の外部に露出している。これにより、原稿載置面２２０に排出された原稿、およびシート載置面２４０、第２のシート載置面２５０に排出されたシートを容易に画像形成装置１から取り出すことができる。
【００１６】
図２は、図１に示した画像形成装置１の幅方向（Ｘ軸方向）および高さ方向（Ｙ軸方向）を含む平面での断面図であって、奥行き方向（Ｚ軸方向）の前側から見た断面図である。シート載置部２０および原稿載置部１１０は、画像形成装置１から開放された状態を示している。シート載置部２０および原稿載置部１１０は、画像形成装置１の幅方向（Ｘ軸方向）の右方向において、天板３００の外周縁より外部に張り出している。
【００１７】
原稿搬送読取装置１００は、原稿載置部１１０に載置された原稿を装置内部に給送する原稿給送部１３０と、原稿給送部１３０から給送される原稿を搬送する原稿搬送部１５０と、原稿搬送部１５０により搬送される原稿の下面（底面）を第１面（表面）として読み取る画像読取部１６０と、原稿搬送部１５０により搬送される原稿の上面を第２面（裏面）として読み取る第２の画像読取部１７０と、原稿搬送部１５０により搬送される原稿を排出する原稿排出部１８０を備える。原稿搬送読取装置１００の上部かつ天板３００の下部の間には、空きスペース１０１が形成されている。また、画像読取部１６０および第２の画像読取部１７０を含む原稿搬送読取装置１００は、操作部４００よりも下側に配置される。
【００１８】
原稿給送部１３０は、原稿載置部１１０に載置された原稿の有無を検知する原稿センサ１３２と、原稿載置部１１０から原稿を給送する原稿給送ローラ１３４を備える。原稿センサ１３２が原稿ありを検知すると、原稿給送ローラ１３４は、原稿載置部１１０に載置された原稿の底面に当接して回転することにより、原稿載置部１１０から原稿を給送する。原稿載置部１１０に複数の原稿が積層されている場合、原稿給送部１３０は、原稿載置部１１０に載置された原稿のうち、最下部の原稿を給送する。
【００１９】
原稿搬送部１５０は、原稿給送部１３０から給送された原稿を搬送する搬送ローラ対１５２、１５３と、搬送ローラ対１５２、１５３から搬送された原稿を搬送する第２の搬送ローラ対１５４、１５５を備える。
【００２０】
原稿排出部１８０は、原稿載置面２２０に向けて原稿を排出する原稿排出口１８２と、第２の搬送ローラ対１５４、１５５から搬送された原稿を原稿排出口１８２に向けて搬送する原稿排出ローラ対１８４、１８５を備える。排出収容部２００は、原稿排出口１８２が臨む空間であり、原稿排出口１８２から排出された原稿を収容するように形成される。原稿は、画像形成装置１の幅方向（横方向、Ｘ軸方向）の左側に向けて、原稿排出口１８２から排出される。
【００２１】
原稿搬送部１５０および原稿排出部１８０は、原稿載置部１１０に載置された原稿の表裏を反転させることなく原稿排出部１８０から排出するように構成されている。図２に示すように、原稿載置部１１０から、搬送ローラ対１５２、１５３と第２の搬送ローラ対１５４、１５５と原稿排出ローラ対１８４、１８５を経る原稿搬送路は、ほぼ直線状に形成されている。この原稿搬送路には反転部を設けていないために、厚紙やカードなどの原稿を原稿載置部１１０に載置して搬送し、原稿を読み取ることが可能となる。
【００２２】
画像形成装置１は、内部シート載置部１０に載置されたシートを画像形成部６０に給送する内部シート給送部１１と、第２の内部シート載置部１５に載置されたシートを画像形成部６０に給送する第２の内部シート給送部１６と、シート載置部２０に載置されたシートを装置内部の画像形成部６０に給送するシート給送部３０と、内部シート給送部１１、第２の内部シート給送部１６およびシート給送部３０から給送されるシートを搬送するシート搬送部４０と、上述した画像形成部６０により形成された画像をシート上に定着させる定着部７０と、画像が定着したシートを排出するシート排出部８０を備える。ここで、上述した原稿排出部１８０は、シート排出部８０よりも上方に配置されている。
【００２３】
シート給送部３０は、シート載置部２０に載置されたシートの有無を検知するシートセンサ３２と、シート載置部２０からシートを給送するシート給送ローラ３４を備える。シートセンサ３２がシートありを検知すると、シート給送ローラ３４は、シート載置部２０に載置されたシートの底面に当接して回転することにより、シート載置部２０からシートを給送する。シート載置部２０に複数のシートが積層されている場合、シート給送部３０は、シート載置部２０に載置されたシートのうち、最下部のシートを給送する。
【００２４】
シート搬送部４０は、画像形成部６０に向けてシートを搬送する搬送ローラ対４２、４３と、定着部７０より下流側でシートの搬送先を切り替える搬送切替部４８と、画像が定着したシートを反転して搬送する第２の搬送ローラ対４４、４５と、第２の搬送ローラ対４４、４５から搬送されるシートを搬送ローラ対４２、４３に向けて搬送する第３の搬送ローラ対４６、４７とを備える。
【００２５】
画像形成部６０は、ブラック、シアン、マゼンタ、イエロー各色のトナーを収納するトナー収納部６２Ｂ、６２Ｃ、６２Ｍ、６２Ｙと、画像読取部１６０および第２の画像読取部１７０が読み取った画像に対応する画像書き込み光を生成する書き込み部６３と、書き込み部６３が生成した画像書き込み光によりブラック、シアン、マゼンタ、イエロー各色の画像を形成する画像形成ユニット６４Ｂ、６４Ｃ、６４Ｍ、６４Ｙと、画像形成ユニット６４Ｂ、６４Ｃ、６４Ｍ、６４Ｙが形成した各色の画像を重ね合わせてシートに転写する転写部６６を備える。
【００２６】
転写部６６は、画像形成ユニット６４Ｂ、６４Ｃ、６４Ｍ、６４Ｙにより形成された各色の画像が重ね合わされて一次転写される中間転写ベルト６７と、中間転写ベルト６７上に転写された画像をシートに二次転写する二次転写部６８とを備える。
【００２７】
シート排出部８０は、シート載置面２４０に向けてシートを排出するシート排出口８２と、シートをシート排出口８２に向けて搬送するシート排出ローラ対８４、８５と、第２のシート載置面２５０に向けてシートを排出する第２のシート排出口９２と、シートを第２のシート排出口９２に向けて搬送する第２のシート排出ローラ対９４、９５とを備える。排出収容部２００は、シート排出口８２および第２のシート排出口９２が臨む空間であり、シート排出口８２および第２のシート排出口９２から排出されたシートを収容するように形成される。シートは、画像形成装置１の幅方向（横方向、Ｘ軸方向）の左側に向けて、シート排出口８２および第２のシート排出口９２から排出される。
【００２８】
片面画像形成の場合、シート搬送部４０およびシート排出部８０は、画像形成部６０により画像形成された面が下向きになるように、シート排出部８０からシートを排出する。
【００２９】
片面画像形成の場合、定着部７０から搬送されるシートは、搬送切替部４８により、シート排出ローラ対８４、８５または第２のシート排出ローラ対９４、９５へ向けて搬送され、シート排出口８２または第２のシート排出口９２から排出される。
【００３０】
両面画像形成の場合、定着部７０から搬送されるシートは、搬送切替部４８により、第２のシート排出口９２へ向けて搬送される。そして、シートは、第２のシート排出口９２から完全に排出される前に、第２のシート排出ローラ対９４、９５が逆回転することにより、第２の搬送ローラ対４４、４５に向けて反転して搬送される。
【００３１】
図３は、図１に示した画像形成装置１の原稿搬送読取装置１００の動作を説明する図である。図３（ａ）は、原稿搬送読取装置１００が原稿Ｄ１、Ｄ２、Ｄ３を搬送する前の状態を示しており、図３（ｂ）は、原稿搬送読取装置１００が原稿Ｄ１、Ｄ２、Ｄ３を搬送した後の状態を示す。
【００３２】
原稿搬送読取装置１００は、原稿給送ローラ１３４と、搬送ローラ対１５２、１５３のうち下側の搬送ローラ１５３と、第２の搬送ローラ対１５４、１５５のうち下側の第２の搬送ローラ１５５と、原稿排出ローラ対１８４、１８５のうち下側の原稿排出ローラ１８５と、を回転駆動する回転駆動部１０５を備える。回転駆動部１０５および回転駆動部１０５により駆動される各ローラは、原稿が搬送される経路よりも下側に配置される。これにより、図２に示したように、原稿搬送読取装置１００の上部かつ天板３００の下部の間に、空きスペース１０１を形成することが可能になる。空きスペース１０１を形成したことで、空きスペースの有効活用が可能になる。例えば、天板３００と原稿搬送読取装置１００の間に、筆記用具などを格納する引き出しを設けることもでき、天板３００で書類にメモなどを記載するのに便利となる。
【００３３】
以下に原稿搬送読取装置１００の動作を説明する。まず、図３（ａ）に示すように、原稿載置部１１０には、原稿Ｄ１、Ｄ２、Ｄ３が、フェイスダウンで各々表側を下側にして下から順に積層されている。
【００３４】
原稿給送ローラ１３４は、回転駆動部１０５により回転駆動され、原稿載置部１１０に載置された最下部の原稿Ｄ１の底面に当接して回転することにより、原稿載置部１１０から原稿Ｄ１を給送する。
【００３５】
搬送ローラ対１５２、１５３は、下側の搬送ローラ１５３が回転駆動部１０５により回転駆動されることにより、原稿給送ローラ１３４により給送される原稿Ｄ１を搬送する。
【００３６】
搬送ローラ対１５４、１５５は、下側の搬送ローラ１５５が回転駆動部１０５により回転駆動されることにより、搬送ローラ対１５２、１５３により搬送される原稿Ｄ１を搬送する。
【００３７】
画像読取部１６０は、搬送ローラ対１５４、１５５により搬送される原稿Ｄ１の下面（底面）を第１面（表面）として読み取る。
【００３８】
第２の画像読取部１７０は、搬送ローラ対１５４、１５５により搬送される原稿Ｄ１の上面を第２面（裏面）として読み取る。画像読取部１６０は、図３に示すように第２の画像読取部１７０よりも原稿搬送方向の上流側に位置する。
【００３９】
原稿排出ローラ対１８４、１８５は、下側の原稿排出ローラ１８５が回転駆動部１０５により回転駆動されることにより、搬送ローラ対１５４、１５５により搬送され、画像読取部１６０および第２の画像読取部１７０により画像を読み取られた原稿Ｄ１を搬送し、排出原稿載置部２２０に向けて原稿Ｄ１を排出する。
【００４０】
以上の動作を原稿Ｄ２、Ｄ３についても順に行い、図３（ｂ）に示すように、排出原稿載置部２２０には、原稿Ｄ１、Ｄ２、Ｄ３が、各々表側を下側にして、下から順に積層される。
【００４１】
以上の構成により、排出原稿載置部２２０に積載された原稿Ｄ１、Ｄ２、Ｄ３の表裏、載置順を、原稿載置部１１０に積載された原稿Ｄ１、Ｄ２、Ｄ３の表裏、載置順と同じにすることができる。また、画像読取部１６０による第１面（表面）の読取り順を、原稿載置部１１０に積載された原稿Ｄ１、Ｄ２、Ｄ３の順と同じにすることができる。
【００４２】
以上の形態を実施例として、比較例１〜３と比較した結果を下記表１に示す。なお、実施例および比較例１〜３は、前提として、原稿載置部１１０に載置された原稿を反転させず排出原稿載置部２２０に載置する構成とする。これにより、実施例および比較例１〜３は全て、排出原稿載置部２２０に載置される原稿の表裏は、原稿載置部１１０に載置された原稿の表裏と同じになる。
【００４３】
また、実施例および比較例１〜３は、原稿の上面を表面として画像を読み取る場合には、フェイスアップ（表側が上側）で原稿載置部１１０に原稿を積載し、原稿の下面を表面として画像を読み取る場合には、フェイスダウン（表側が下側）で原稿載置部１１０に原稿を積載するものとする。
【００４４】
【表１】
2020022018.tif 000003
【００４５】
比較例１は、原稿載置部１１０に原稿Ｄ１、Ｄ２、Ｄ３をフェイスアップ（表側が上側）で上から順に積載し、最上部の原稿Ｄ１から順に給送し、原稿の上面を表面として画像を読み取る形態である。
【００４６】
比較例１では、原稿Ｄ１、Ｄ２、Ｄ３の順で原稿の画像を読み取るため、原稿の画像の読取り順は、原稿載置部１１０への原稿の積載順と同じになる。しかし、比較例１では、原稿Ｄ１、Ｄ２、Ｄ３の順で下から排出原稿載置部２２０に積載されるため、排出原稿載置部２２０における原稿の積載順は、原稿載置部１１０における原稿の積載順と異なる。
【００４７】
比較例２は、原稿載置部１１０に原稿Ｄ１、Ｄ２、Ｄ３をフェイスアップ（表側が上側）で上から順に積載し、最下部の原稿Ｄ３から順に給送し、原稿の上面を表面として画像を読み取る形態である。
【００４８】
比較例２では、原稿Ｄ３、Ｄ２、Ｄ１の順で下から排出原稿載置部２２０に積載されるため、排出原稿載置部２２０における原稿の積載順は、原稿載置部１１０における原稿の積載順と同じになる。しかし、比較例２では、原稿Ｄ３、Ｄ２、Ｄ１の順で原稿の画像を読み取るため、原稿の画像の読取り順は、原稿載置部１１０への原稿の積載順と異なる。
【００４９】
比較例３は、原稿載置部１１０に原稿Ｄ１、Ｄ２、Ｄ３をフェイスダウン（表側が下側）で下から順に積載し、最上部の原稿Ｄ３から順に給送し、原稿の底面を表面として画像を読み取る形態である。
【００５０】
比較例３では、原稿Ｄ３、Ｄ２、Ｄ１の順で原稿の画像を読み取るため、原稿の画像の読取り順は、原稿載置部１１０への原稿の積載順と異なる。さらに、比較例３では、原稿Ｄ３、Ｄ２、Ｄ１の順で下から排出原稿載置部２２０に積載されるため、排出原稿載置部２２０における原稿の積載順は、原稿載置部１１０における原稿の積載順と異なる。
【００５１】
実施例は、原稿載置部１１０に原稿Ｄ１、Ｄ２、Ｄ３をフェイスダウン（表側が下側）で下から順に積載し、最下部の原稿Ｄ１から順に給送し、原稿の底面を表面として画像を読み取る形態である。
【００５２】
実施例では、原稿Ｄ１、Ｄ２、Ｄ３の順で原稿の画像を読み取るため、原稿の画像の読取り順は、原稿載置部１１０への原稿の積載順と同じになる。さらに、実施例では、原稿Ｄ１、Ｄ２、Ｄ３の順で下から排出原稿載置部２２０に積載されるため、排出原稿載置部２２０における原稿の積載順は、原稿載置部１１０における原稿の積載順と同じである。
【００５３】
図４は、図３に示した原稿搬送読取装置１００の原稿給送部１３０の詳細を示す図である。
【００５４】
原稿給送部１３０は、原稿載置部１１０に載置された最下部の原稿より上方に載置される原稿の先端に当接するように配置されるシャッター部材１３６と、原稿載置部１１０に載置された原稿を上方から押圧する押圧部材１３８とを備える。
【００５５】
前述したように、原稿給送ローラ１３４は、回転駆動部１０５により回転駆動され、原稿載置部１１０に載置された最下部の原稿の底面に当接して回転することにより、原稿載置部１１０から原稿を給送する。そして、搬送ローラ対１５２、１５３は、下側の搬送ローラ１５３が回転駆動部１０５により回転駆動されることにより、原稿給送ローラ１３４により給送される原稿を搬送する。
【００５６】
ここで、押圧部材１３８を備えることにより、原稿給送ローラ１３４を確実に最下部の原稿の底面に当接させることができる。また、シャッター部材１３６を備えることにより、最下部の原稿の上方の原稿が束になって給送されることが防止される。さらに、搬送ローラ対１５２、１５３のうち上側の搬送ローラ１５２をリバースローラとして構成することにより、最下部の原稿の上方の原稿が重送されることが防止される。
【００５７】
図５は、図１に示した画像形成装置１の変形例を示す断面図である。原稿載置部１１０は、原稿が給送される方向（Ｘ軸方向の左側）と逆方向に延長可能な延長部１１０Ｅを備え、原稿が給送される方向側が下になるように傾斜して配置される。また、図２に示した給送ローラ１３４を備えていない。
【００５８】
これにより、原稿載置部１１０上に載置される原稿が給送される方向で下向きに傾斜するので、重力を利用して原稿を搬送ローラ対１５２、１５３に向けて給送することができ、給送ローラ１３４を不要にできる。
【００５９】
以上説明したように、本発明の一実施形態に係る原稿搬送読取装置１００は、原稿を載置する原稿載置部１１０と、原稿載置部１１０に載置された原稿を給送する原稿給送部１３０と、原稿給送部１３０から給送される原稿を搬送する原稿搬送部１５０と、原稿搬送部により搬送される原稿の表側の画像を読み取る画像読取部１６０と、原稿搬送部１５０により搬送される原稿を排出する原稿排出部１８０と、を備え、原稿搬送部１５０および原稿排出部１８０は、原稿載置部１１０に載置された原稿を反転させることなく原稿排出部１８０から排出し、画像読取部１６０は、搬送される原稿の底面の画像を読み取る位置に配置され、原稿給送部１３０は、原稿載置部１１０に載置された原稿のうち、最下部の原稿を給送する。
【００６０】
これにより、フェイスダウン（表側が下側）で原稿載置部１１０に原稿を積載すると、排出原稿載置部２２０に積載された原稿の表裏、載置順を、原稿載置部１１０に積載された原稿の表裏、載置順と同じにするとともに、画像読取部１６０による第１面（表面）の読取り順を、原稿載置部１１０に積載された原稿の順と同じにすることができる。
【００６１】
原稿給送部１３０は、原稿載置部１１０に載置された原稿の底面に当接して回転することにより、原稿載置部１１０から原稿を給送する給送ローラ１３４を備える。これにより、原稿載置部１１０に載置された原稿のうち、最下部の原稿を給送することができる。
【００６２】
原稿搬送部１５０は、搬送ローラ対１５２、１５３および第２の搬送ローラ対１５４、１５５を備え、複数の搬送ローラ対のうち、下側の搬送ローラ１５３および第２の搬送ローラ１５５は、回転駆動部１０５により駆動される。これにより、これにより、原稿搬送読取装置１００の上部に、空きスペース１０１を形成することができる。
【００６３】
原稿給送部１３０は、原稿載置部１１０に載置された最下部の原稿より上方に載置される原稿の先端に当接するように配置されるシャッター部材１３６と、原稿載置部１１０に載置された原稿を上方から押圧する押圧部材１３８と、を備える。これにより、原稿給送ローラ１３４を確実に最下部の原稿の底面に当接させることができるとともに、最下部の原稿の上方の原稿が束になって給送されることを防止できる。
【００６４】
原稿載置部１１０は、載置される原稿が給送される方向で下向きに傾斜するように配置される。これにより、重力を利用して原稿を搬送ローラ対１５２、１５３に向けて給送することができる。
【００６５】
原稿載置部１１０は、格納可能である。これにより、未使用時は原稿載置部１１０を格納することができ、装置を上から見たときの占有面積を減らすことができる。
【００６６】
原稿載置部１１０は、原稿を給送する方向と逆方向に延長可能な延長部１１０Ｅを備える。これにより、原稿サイズに合わせて原稿載置部１１０の長さを調整できて、省スペース性を保ちながら原稿サイズ対応力を向上させることができる。
【００６７】
本発明の一実施形態に係る画像形成装置１は、上述した原稿搬送読取装置１００を備えるとともに、画像読取部１６０が読み取った画像に基づき、シートに画像を形成する。
画像形成装置１は、シートを搬送するシート搬送部４０と、シート搬送部４０により搬送されるシートに画像を形成する画像形成部６０と、シート搬送部４０により搬送されるシートを排出するシート排出部８０と、を備え、シート搬送部４０およびシート排出部８０は、画像形成部６０により画像形成された面が下向きになるように、シート排出部８０からシートを排出する。
【００６８】
これにより、フェイスダウン（表側が下側）で原稿載置部１１０に原稿を積載すると、シート排出部８０から排出されて積載されたシートの表裏、載置順を、排出原稿載置部２２０に積載された原稿の表裏、載置順と同じにすることができる。
【００６９】
原稿排出部１８０には、原稿を排出する原稿排出口１８２が備えられ、シート排出部８０には、シートを排出するシート排出口８２、第２のシート排出口９２が備えられており、少なくとも装置の一側面に開口し、且つ、原稿排出口１８２およびシート排出口８２、第２のシート排出口９２が臨む空間であり、原稿排出口１８２から排出された原稿およびシート排出口８２、第２のシート排出口９２から排出されたシートを収容する排出収容部２００を備える。これにより、排出された原稿およびシートの機密性を確保しつつ、原稿およびシートを画像形成装置１から容易に取り出すことができる。
【符号の説明】
【００７０】
１  画像形成装置
４０  シート搬送部
６０  画像形成部
８０  シート排出部
８２  シート排出口
９２  第２のシート排出口
１００  原稿搬送読取装置
１０１  空きスペース
１０５  回転駆動部
１１０  原稿載置部
１１０Ｅ  延長部
１３０  原稿給送部
１３４  給送ローラ
１３６  シャッター部材
１３８  押圧部材
１５０  原稿搬送部
１５２、１５３  搬送ローラ対
１５４、１５５  第２の搬送ローラ対
１６０  画像読取部
１８０  原稿排出部
１８２  原稿排出口
２００  排出収容部
２２０  原稿載置面（排出原稿載置部）
【先行技術文献】
【特許文献】
【００７１】
【特許文献１】特開２００７‐０７８９９４
【図１】
2020022018.tif 000004
【図２】
2020022018.tif 000005
【図３】
2020022018.tif 000006
【図４】
2020022018.tif 000007
【図５】
2020022018.tif 000008